(57)【要約】【課題】無駄水を流さないようにするフラッシュバルブ装置を提供することを目的とする。【解決手段】主通水路上に設けられて該主通水路を開閉する主弁と、開弁操作により該主弁を閉弁方向に押圧する圧力室内の水圧を抜いて該主弁を開弁させるパイロット弁とを備えたフラッシュバルブ本体及び該パイロット弁を開弁させる操作装置を有するフラッシュバルブ装置において、圧力室と主通水路二次側とを連通する連通路に該主弁体からの流量を切り替える該操作装置及び通水面積の異なる該パイロット弁を設けて，圧力室内の水を抜く。【選択図】　図１
2004116098.tif 000002
【特許請求の範囲】
【請求項１】
主通水路上に設けられて該主通水路を開閉する主弁と、開弁操作により該主弁を閉弁方向に押圧する圧力室内の水圧を抜いて該主弁を開弁させるパイロット弁とを備えたフラッシュバルブ本体及び該パイロット弁を開弁させる操作装置を有するフラッシュバルブ装置において、圧力室と主通水路二次側とを連通する連通路に該主弁体からの流量を切り替える該操作装置及び通水面積の異なる該パイロット弁を設けたことを特徴とするフラッシュバルブ装置。
【請求項２】
前記操作装置は該主弁体からの流量を切り替える該操作装置及び通水面積の異なる該パイロット弁を通水面積の小さいパイロット弁を中心側にして同軸上に配したことを特徴とする請求項１記載のフラッシュバルブ装置。
【発明の詳細な説明】
【０００１】
【発明の属する技術分野】
【０００２】
【従来の技術】
図４は従来一般に用いられているフラッシュバルブ装置を示したものである（例えば特許文献１参照）。同図において２００はフラッシュバルブ装置におけるフラッシュバルブ本体であり、２０２はその操作装置である。フラッシュバルブ本体２００は、ボデー２０４の内部に主通水路２０６が設けられていて、その主通水路２０６上に設けられた主弁２０８によってかかる主通水路２０６が開閉されるようになっている。即ち主弁２０８が弁座２１０にパッキンを介して着座し又は弁座２１０から離間することによって一時側通水路２０６Ａと二次側通水路２０６Ｂとが遮断ないし連通するようになっている。
【０００３】
主弁２０８の上部には圧力室２１２が形成されており、主弁２０８は通常時はその圧力室２１２内部の水圧により同図中下向きに押圧されて閉弁状態とされている。
【０００４】
主弁２０８の内部には圧力室２１２に連通する水室２１４が形成されていてそこにパイロット弁２１６が収容されており、このパイロット弁２１６により水室２１４及び圧力室２１２と二次側通水路２０６Ｂとを連通させる連通路２１８が開閉されるようになっている。
【０００５】
即ちパイロット弁２１６が弁座２２０に対してパッキンを介し着座することで連通路２１８が閉じられ、また一方パイロット弁２１６が弁座２２０から離間することによって連通路２１８が開かれるようになっている。尚パイロット弁２１６は、水室２１４内に収容された復帰ばね２２２によって常時下向きに付勢されている。このパイロット弁２１６からは起動棒２２４が下向きに突き出しており、それらパイロット弁２１６及び起動棒２２４が一体に傾動させられるようになっている。
【０００６】
２２６は操作レバーであって、その端部のフランジ部２２８がハウジング２３０の内部に挿入され且つハウジング２３０の内向きのフランジ部２３２の内面に当接している。この操作レバー２２６の先端面には、また、押棒２３４の大径のフランジ部２３６が当接させられており、更にそれら押棒２３４及び操作レバー２２６が、ばね力の強い復帰ばね２３８によってともにハウジング２３０のフランジ部２３２に向けて弾発されている。
【０００７】
押棒２３４はガイド部材２４０を貫通してその先端が上記起動棒２２４の側面に対向させられている。ここで押棒２３４はガイド部材２４０に対してシール用のＯリング２４２を介して軸方向に摺動可能に水密に嵌合されており、そのＯリング２４２によって、押棒２３４とガイド部材２４０との間がシールされている。
【０００８】
このフラッシュバルブ装置の場合、操作レバー２２６をその軸心と直角方向に押すと、これに伴って押棒２３４が復帰ばね２３８の弾発力に抗して図中左向きに押し出される。そしてその押棒２３４の押出しによって起動棒２２４がパイロット弁２１６とともに傾動させられる。尚起動棒２２４及びパイロット弁２１６は、軸心周りの３６０°何れの方向から力を加えても傾動可能である。
【０００９】
パイロット弁２１６が起動棒２２４と一体に傾動すると、圧力室２１２と二次側通水路２０６Ｂとが連通路２１８を介して連通した状態となり、圧力室２１２内部の水が連通路２１８を通じて二次側通水路２０６Ｂへと流れ出る。すると圧力室２１２内部の水圧が低下し、これにより主弁２０８が主通水路２０６内部の水圧によって図中上向きに押し上げられて開弁する。ここにおいて一次側通水路２０６Ａと二次側通水路２０６Ｂとが連通した状態となって、一次側通水路２０６Ａから二次側通水路２０６Ｂに水道水が流れ便器を洗浄する。
【００１０】
一次側通水路２０６Ａ内の水は同時に主弁２０８の側面の小孔２４４を通じて圧力室２１２内部に流入し、これとともに圧力室２１２内部の水圧が漸次増大する。そして最終的にその圧力室２１２内部の水圧によって主弁２０８が再び閉弁し、一次側通水路２０６Ａと二次側通水路２０６Ｂとが遮断されて、洗浄水の供給が停止する。
【００１１】
【特許文献１】
実開昭６３−１４５９７２号公報（第１−４頁、第１図）
【００１２】
【発明が解決しようとする課題】
上記フラッシュバルブ装置はトイレ使用者がトイレ使用後に操作レバーを押し下げさせてフラッシュバルブを開弁させ、給水弁より便器の１回の洗浄で良好な洗浄効果を得るに十分な程度の水量（一般的に洗浄時間１０秒位で１５Ｌ程度の水量を給水する）を勢いよく給水することにより洗浄しようとするものである。
【００１３】
ところが、トイレ使用者が小便をした場合も大便をした場合においても一定の水量を流すことになり、小便をした場合に便器を良好に洗浄するのに必要な洗浄量は大便の場合に比べて少なくてもよい（一般に洗浄時間１０秒位で９Ｌ程度の水量を給水する）にも関わらず、大便を洗浄するのに必要な水量を流すこととなり甚だ不経済であった。
【００１４】
また、このフラッシュバルブ装置においては、操作レバー２２６を操作するときに、操作レバー２２６には復帰ばね２３８の強い弾発力が常時作用しているため、操作レバー２２６を操作する際に強い操作力を必要とし、操作感が重いといった問題があった。
【００１５】
【課題を解決するための手段】
本願の発明のフラッシュバルブ装置はこのような課題を解決するために案出されたものである。
【００１６】
上記課題を解決するために第１の発明は、主通水路上に設けられて該主通水路を開閉する主弁と、開弁操作により該主弁を閉弁方向に押圧する圧力室内の水圧を抜いて該主弁を開弁させるパイロット弁とを備えたフラッシュバルブ本体及び該パイロット弁を開弁させる操作装置を有するフラッシュバルブ装置において、圧力室と主通水路二次側とを連通する連通路に該主弁体からの流量を切り替える該操作装置及び通水面積の異なる該パイロット弁を設けたことを特徴とし、通水面積の異なるパイロット弁によって圧力室内の水を抜くことで大小洗浄の水量を切り替えることができる洗浄装置であって、これによって無駄水を少なくすることが出来た。
【００１７】
第２の発明は、前記操作装置は該主弁体からの流量を切り替える該操作装置及び通水面積の異なる該パイロット弁を通水面積の小さいパイロット弁を中心側にして同軸上に配設することによってパイロット弁の操作力を小さくすることができた。
【００１８】
【発明の実施の形態】
本発明の内容をより理解しやすくする為、以下に図示の実施例に基づいて説明する。
【００１９】
【実施例】
上記フラッシュバルブ装置１は、図１に示しているようにフラッシュバルブ本体２の内部に主通水路３を有していて、その主通水路３上に主弁４が設けられており、その主弁４によって主通水路３が開閉されるようになっている。
【００２０】
即ち主弁４の主弁座５への着座によって、上流側の一次側通水路６と下流側の二次側通水路７とが遮断され、また逆に主弁４の主弁座５からの離間によって、一次側通水路６と二次側通水路７とが連通するようになっている。
【００２１】
主弁４の上部には圧力室８が形成されており、通常時において主弁４は、この圧力室８内の水圧の下向きの押圧力によって主弁座５に当接した状態にある。即ち主通水路３を閉じた状態にある。
【００２２】
主弁４は、その全体が概略円筒形状をなしていて、その内部に圧力室８に連通する水室９が形成されている。圧力室８と連通路１０に連通して連通路１１が形成されており連通路１０内には、それぞれ通水面積の異なる絞り部を持つ二つの操作装置、小便洗浄用の操作装置２０と大便洗浄用の操作装置３０のパイロット弁２１、３１が収容されており、このパイロット弁２１、３１によって、水室９及び圧力室８と主通水路３における二次側通水路７とを連通させる連通路１０が開閉されるようになっている。
【００２３】
即ち、小便洗浄用の操作装置２０と大便洗浄用の操作装置３０のパイロット弁２１、あるいは３１が弁座２３、あるいは３３に対してパッキン２２、あるいは３２を介し着座することによって連通路１０が遮断され、また逆にパイロット弁２１、あるいは３１が弁座２３、あるいは３３から上向きに離間することで連通路１０が開かれ、水室９及び圧力室８と二次側通水路７とが通じるようになっている。
【００２４】
前記操作装置２０、３０については両方とも基本構造は同じであるため以下、小便洗浄用の操作装置２０の構造について詳細を述べる。
【００２５】
パイロット弁２１からは押棒２４が横向きに突き出しており、これらパイロット弁２１と押棒２４とが一体に動作されるようになっている。押棒２４はハウジング２５を貫通してその先端が押釦２４ａとしてフラッシュバルブ装置１の外面に露出していて、復帰ばね２６によってハウジング２５のフランジ部２５ａに向けて弾発されている。ここで押棒２４はハウジング２５に対してシール用のＯリング２７を介して軸方向に摺動可能に水密に嵌合されており、そのＯリング２７によって押棒２４とハウジング２５との間がシールされている。
【００２６】
また、ハウジング２５とフラッシュバルブ本体２の間にはＯリング２８とパッキン２９が配設されており、それぞれ連通路１０とに二次側通水路７、及び二次側通水路７と外部との水密を保っている。このフラッシュバルブ装置１の場合、押釦２４ａの軸心方向に力が加えられるとこれに伴って押棒２４が図中左方向に押し出される。
【００２７】
このとき操作に必要な力は弁座２２の面積にかかる圧力による力と押棒２４を付勢している復帰ばね２６の力の合力よりも大きい力であればよい。そしてその押し出しによってパイロット弁２１のパッキン２２が弁座２３から離間する。
【００２８】
即ち、パイロット弁２１が弁座２３から離間すると圧力室８と二次側通水路７とが連通路１０を介して連通した状態となり、圧力室８内部の水が連通路１０を通じて二次側通水路７へと流れる。すると圧力室８内部の水圧が低下し、これにより主弁４が主通水路３内部の水圧によって図中上向きに押し上げられ開弁する。ここにおいて一次側通水路６と二次側通水路７が連通路１０を介して連通した状態となって、一次側通水路６から主弁座５を通って二次側通水路７に水道水が流れて洗浄する。押釦２４ａに加えられた力が除去されると復帰ばね２６の弾発によりパイロット弁２１は再び弁座２３に当接する。
【００２９】
一次側通水路６内の水は同時に主弁４の側面の小穴１２を通じて圧力室８内部に流入し、これと共に圧力室８内部の水圧が暫時増大する。そして最終的にその圧力室８内部の水圧によって主弁４が再び閉弁し、一次側通水路６と二次側通水路７が遮断されて、ここで洗浄水の供給が停止する。
【００３０】
上記は小便洗浄を行う場合の操作、及びフラッシュバルブ装置１の動作を示したものであるが、大便洗浄の場合は弁座３３に作用する圧力による力が大きいという点で差異があるものの動作の点では同様である。
【００３１】
ここで図２は小便洗浄用の操作装置２０の絞り部２３ａと押棒２４で形成される通水面積ＳＡと、大便洗浄用の操作装置３０の絞り部３３ａと押棒３４とで形成される通水面積ＳＢによって得られる主弁４供給される流量の変化を時間毎に模式的に表したものである。これによると通水面積ＳＡによって瞬間的に流れる流量は通水面積ＳＢの場合に比べて少ないことが分かる。ここで通水面積は次のように設定さえているＳＡ＜ＳＢである。即ち便器洗浄のため押釦部２４ａを押して、離すという一連の動作をｔ秒間かけて行った場合に主弁４から便器に供給される洗浄水の合計は少なくなる。これによって小便洗浄の場合は通水面積ＳＡの操作装置２０の押釦２４ａを操作し、大便洗浄の場合は通水面積ＳＢの操作装置３０の押釦３４ａを操作して、大小便洗浄の切り替えを行うことにより、トイレ使用者が洗浄形態を選択することが出来るため小便洗浄時にも大便洗浄時と同じ量の水を流すことがなく、無駄水を無くすことが出来る。
【００３２】
図３は請求項２に示す大小洗浄の切り替え操作装置を同軸上に配設した場合の実施例を示す。
【００３３】
操作装置４０のパイロット弁は大洗浄用パイロット弁４１、小洗浄用パイロット弁４２がともに同軸上に配設されており、ハウジング４３に第１の押棒４４が貫通して、更にその中を第２の押棒４５が貫通している。第２の押棒４５は第１の押棒４４を貫通してその先端が小便洗浄用の押釦４５ａとしてフラッシュバルブ装置１の外面に露出していて復帰バネ４６によって第１の押棒４４のフランジ部４４ａに向けて弾発されている。ここで第２の押棒４５は第１の押棒４４に対してシール用のＯリング４７を介して軸方向に摺動可能に水密に勘合されており、そのＯリング４７によって第１の押棒４４と第２の押棒４５との間がシールされている。第１の押棒４４とハウジング４３の間も同様にＯリング４８によって摺動可能にシールされている。また、第１の押棒４４のフランジ部４４ａはハウジングを貫通して大便洗浄用の押釦４４としてフラッシュバルブ装置１の外面に露出しており、復帰ばね５５によって復帰ばね４６の付勢力と弁座５２に作用する圧力による力よりも十分大きい力でハウジング４３のフランジ部４３ａに向けて弾発されている。また、ハウジング４３とフラッシュバルブ本体２の間にはＯリング４９とパッキン５０が配設されており、それぞれ連通路１０とに二次側通水路７、及び二次側通水路７と外部との水密を保っている。
【００３４】
この操作装置において、トイレ使用者が小便器洗浄を行おうとする場合、トイレ使用者によって第２の押棒４５の押釦４５ａの軸心方向に復帰ばね４６の弾発力と弁座５２に作用する圧力による力に抗する力が加えられるとこれに伴って押棒４５が図中左方向に押し出される。そしてその押し出しによってパイロット弁４２のパッキン５１が弁座５２から離間して洗浄が開始し、押釦４５ａに加えられた力が除去されると復帰ばね４６の弾発によりパイロット弁４２のパッキン５１は再び弁座５２に当接して洗浄は停止する。
【００３５】
次にトイレ使用者が大便洗浄を行おうとする場合、トイレ使用者によってまず第２の押釦４５の軸方向に力が加えられるとこれによって小便器洗浄の場合と同様にパイロット弁４２のパッキン５１には弁座５２から離間する。さらに第１の押釦４４ａにも力を加えることによって第２の押棒４４も図中左方向へ移動し、パイロット弁４１のパッキン５３が弁座５４から離間する。このとき、パイロット弁４２のパッキン５１は弁座５２から離間し、連通路１０と二次側通水路７は連通しているため弁座５４には圧力による力は作用していないので第１の押釦４４ａには復帰バネ５５に抗する程度の力を加えればよく小さい力で操作が可能である。
【発明の効果】
本発明は上記構成により次の効果を発揮する。
第１の発明は、主通水路上に設けられて該主通水路を開閉する主弁と、開弁操作により該主弁を閉弁方向に押圧する圧力室内の水圧を抜いて該主弁を開弁させるパイロット弁とを備えたフラッシュバルブ本体及び該パイロット弁を開弁させる操作装置を有するフラッシュバルブ装置において、通水面積が異なるパイロット弁を設けて圧力室内の水を抜くことで大小洗浄の水量を切り替えることができる洗浄装置であって、これによって無駄水を少なくすることが出来た。
【００３６】
第２の発明は、通水面積が異なる該パイロット弁を同軸上に配設することによってパイロット弁の操作力を小さくすることが出来た。
【００３７】
以上本発明の実施例を詳述したがこれはあくまで一例示である。本発明はその趣旨を逸脱しない範囲において種々の変更を加えた形で構成可能である。
【図面の簡単な説明】
【図１】本発明の一実施例であるフラッシュバルブ装置を示す図である。
【図２】図１におけるフラッシュバルブ装置のパイロット弁の水抜きのための通水面積に対する瞬間流量の変化を時間毎に模式的に表したものである。
【図３】本発明の他の実施例におけるフラッシュバルブ装置を示す図である。
【図４】従来のフラッシュバルブ装置の一例を示す図である。
【符号の説明】
１…フラッシュバルブ装置、２…フラッシュバルブ本体、３…主通水路、４…主弁、５…主弁座、６…一次側通水路、７…二次側通水路、８…圧力室、９…水室、１０…連通路、１１…連通孔、１２…小穴、２０…操作装置、２１…パイロット弁、２２…パッキン、２３…弁座、２３ａ…絞り部、２４…押棒、２４ａ…押釦、２５…ハウジング、２５ａ…フランジ部、２６…復帰ばね、２７…Ｏリング、２８…Ｏリング、、２９…パッキン、３０…操作装置、３１…パイロット弁、３２…パッキン、３３…弁座、３３ａ…絞り部、３４…押棒、３４ａ…押釦、３５…ハウジング、３５ａ…フランジ部、３６…復帰ばね、３７…Ｏリング、３８…Ｏリング、３９…パッキン、４０…操作装置、４１…大便洗浄用パイロット弁、４２…小便洗浄用パイロット弁、４３…ハウジング、４４…第１の押棒、４４ａ…フランジ部、４５…第２の押棒、４５ａ…押釦、４６…復帰ばね、４７…Ｏリング、４８…Ｏリング、４９…Ｏリング、５０…パッキン、５１…パッキン、５２…弁座、５２ａ…絞り部、５３…パッキン、５４…弁座、５４ａ…絞り部、５５…復帰ばね
【図１】
2004116098.tif 000003
【図２】
2004116098.tif 000004
【図３】
2004116098.tif 000005
【図４】
2004116098.tif 000006